(57)【要約】  【課題】  生ごみ以外の異物の落下による破砕部の損傷を防止することができ、また開閉蓋を閉じている場合でも生ごみを投入することが可能なディスポーザを提供する。  【解決手段】  生ごみを破砕部の投入口に導くホッパー２の上部開口を、少なくとも投入口の上方位置において、開閉自在に覆う開閉蓋６を架設する。また、一端が開閉蓋６に取り付けられており、他端がホッパー２の傾斜部に沿う形状をなして垂設される保護部材を垂設する。【選択図】      図１
2007069082.tif 000002
【特許請求の範囲】
【請求項１】
生ごみを破砕部により破砕するディスポーザにおいて、
前記破砕部上部に設けられる生ごみ投入口と、
前記投入口へ生ごみを導くための傾斜部を有するホッパーと、
前記ホッパー上部の開口の一部を前記投入口上方にて開閉自在に覆うべく、前記ホッパー上に架設される開閉蓋と
を備えることを特徴とするディスポーザ。
【請求項２】
前記開閉蓋は、平面視において矩形状をなし、その短辺の長さは前記投入口の口径よりも長く、前記ホッパー開口の一辺よりも短いことを特徴とする請求項１に記載のディスポーザ。
【請求項３】
一端が前記開閉蓋に取り付けられ、他端が前記傾斜部に沿う形状をなして垂設される保護部材をさらに備えることを特徴とする請求項１または２に記載のディスポーザ。
【請求項４】
前記開閉蓋の開状態を保持するための保持手段をさらに備えることを特徴とする請求項１乃至３のいずれか一つに記載のディスポーザ。
【請求項５】
前記開閉蓋の開または閉状態を検知する検知センサをさらに備えることを特徴とする請求項１乃至４のいずれか一つに記載のディスポーザ。
【請求項６】
前記保護部材は透明の素材からなることを特徴とする請求項３に記載のディスポーザ。
【請求項７】
前記開閉蓋の閉状態を確保する鍵手段をさらに備えることを特徴とする請求項１乃至６のいずれか一つに記載のディスポーザ。
【請求項８】
前記投入口を封鎖する封鎖部材をさらに備えることを特徴とする請求項１乃至７のいずれか一つに記載のディスポーザ。
【請求項９】
前記封鎖部材は、前記投入口に挿入される挿入部と、該挿入部に連結される把持部とを備え、該把持部の高さは、少なくとも前記投入口から閉状態にある前記開閉蓋頂部までの高さから前記挿入部の高さを減じた値よりも大きいことを特徴とすることを特徴とする請求項８に記載のディスポーザ。
【請求項１０】
生ごみを破砕部により破砕するディスポーザにおいて、
前記破砕部上部に設けられる生ごみ投入口と、
前記投入口へ生ごみを導く傾斜部を有するホッパーと、
平面視において矩形状、側面視においてコの字形状をなし、前記ホッパー上部の開口の一部を前記投入口上方にて開閉自在に覆うべく、前記ホッパー周縁上に両短辺が架設された開閉蓋と、
一端が前記開閉蓋の長辺に取り付けられ、他端が前記傾斜部に沿う形状なして垂設される保護部材と
を備えることを特徴とするディスポーザ。
【発明の詳細な説明】
【技術分野】
【０００１】
本発明は、生ごみを破砕するディスポーザに関し、特に生ごみの投入口上方を開閉自在に覆う開閉蓋がホッパー上に架設されたディスポーザに関する。
【背景技術】
【０００２】
近年、一般家庭において日々発生するゴミの減量が社会的な課題となっており、この課題を解決するための一つの手段として、主として厨房の周りに発生する生ごみを分解処理する生ごみ処理機が種々提案されている。
【０００３】
この生ごみ処理機での処理効率を向上させるために、ディスポーザにより事前に生ごみを細かく破砕する技術が開示されている（例えば特許文献１参照）。生ごみはシンクに投入され、水流と共に、投入口を経て生ごみを破砕する破砕部に送られる。生ごみは破砕部内部で高速回転する回転歯により、細かく破砕される。破砕後の生ごみは生ごみ処理機側へ搬送され、様々な方式により、生ごみの処理が実行されることになる。
【特許文献１】特開２００４−１０５８８１号公報
【発明の開示】
【発明が解決しようとする課題】
【０００４】
しかしながら、ディスポーザは鋭利な回転歯が高速で回転しているため、異物が落下した場合、破砕部を損傷することになる。ホッパー上部の開口全部を覆う蓋を設置することにより、異物の破砕部への落下を完全に防止できるが、蓋を閉じている間は生ごみを追加投入できないという問題が生じる。
【０００５】
本発明は斯かる事情に鑑みてなされたものであり、本発明の目的は、ホッパー上方の開口の一部であるが、投入口上方を開閉自在に覆う開閉蓋を架設することにより、異物の投入口への落下による破砕部の損傷を防止でき、また、開閉蓋を閉じている場合でも生ごみを投入することが可能なディスポーザを提供することにある。
【０００６】
また、本発明の目的は、保護部材を開閉蓋に垂設することにより、異物が落下した場合でも、安易に異物が投入口に転落することを防止できるディスポーザを提供することにある。
【０００７】
また、本発明の目的は、開閉蓋を開けている場合に、かかる状態を保持する保持手段を設けることにより、生ごみで汚れやすいホッパー及び回転歯等の清掃・メインテナンスが容易なディスポーザを提供することにある。
【０００８】
また、本発明の目的は、開閉蓋に対して鍵手段または投入口に封鎖部材を設けることにより、長期間使用しない場合でも、異物が破砕部に混入することを防止できるディスポーザを提供することにある。
【課題を解決するための手段】
【０００９】
本発明に係るディスポーザは、生ごみを破砕部により破砕するディスポーザにおいて、前記破砕部上部に設けられる生ごみ投入口と、前記投入口へ生ごみを導くための傾斜部を有するホッパーと、前記ホッパー上部の開口の一部を前記投入口上方にて開閉自在に覆うべく、前記ホッパー上に架設される開閉蓋とを備えることを特徴とする。
【００１０】
本発明に係るディスポーザは、前記開閉蓋は、平面視において矩形状をなし、その短辺の長さは前記投入口の口径よりも長く、前記ホッパー開口の一辺よりも短いことを特徴とする。
【００１１】
本発明にあっては、ホッパー上部の開口の一部にて、投入口上方を覆う開閉自在な開閉蓋をホッパー上に架設する。このように、投入口上方を覆うべく架設した開閉蓋を設け、処理時には当該開閉蓋を閉じるようにするので、生ごみ以外の異物を投入口に誤って落下させることにより、破砕部の損傷を招くという事態を防止できる。また、開閉蓋を閉じている場合でも、依然としてホッパーは露出していることから、ディスポーザが運転中でも引き続き、開閉蓋下部へ側面方向に向けて生ごみを投入することが可能となる。
【００１２】
本発明に係るディスポーザは、一端が前記開閉蓋に取り付けられ、他端が前記傾斜部に沿う形状をなして垂設される保護部材をさらに備えることを特徴とする。
【００１３】
本発明に係るディスポーザは、生ごみを破砕部により破砕するディスポーザにおいて、前記破砕部上部に設けられる生ごみ投入口と、前記投入口へ生ごみを導く傾斜部を有するホッパーと、平面視において矩形状、側面視においてコの字形状をなし、前記ホッパー上部の開口の一部を前記投入口上方にて開閉自在に覆うべく、前記ホッパー周縁上に両短辺が架設された開閉蓋と、一端が前記開閉蓋の長辺に取り付けられ、他端が前記傾斜部に沿う形状なして垂設される保護部材とを備えることを特徴とする。
【００１４】
本発明にあっては、一端が開閉蓋に取り付けられ、他端が傾斜部に沿う形状をなす保護部材を垂設したので、開閉蓋下の生ごみの通り道は、外部と投入口とが保護部材により、分けられることになり、異物が落下した場合でも、異物が安易に投入口へ入り込むことを未然に防止することが可能となる。
【００１５】
本発明に係るディスポーザは、前記開閉蓋の開状態を保持するための保持手段をさらに備えることを特徴とする。
【００１６】
本発明にあっては、開状態を保持する保持手段を設けたので、ホッパー及び回転歯等の清掃・メインテナンスを容易に行うことができる。
【００１７】
本発明に係るディスポーザは、前記開閉蓋の開または閉状態を検知する検知センサをさらに備えることを特徴とする。
【００１８】
本発明にあっては、検知センサにより、開閉蓋の開閉状態を把握できるので、開閉蓋が開状態で破砕部を動作させるという危険な状態を未然に回避することが可能となる。
【００１９】
本発明に係るディスポーザは、前記保護部材は透明の素材からなることを特徴とする。
【００２０】
本発明にあっては、保護部材を透明の素材にしたので、外部から開閉蓋の下部及び投入口付近を容易に視認することが可能となる。
【００２１】
本発明に係るディスポーザは、前記開閉蓋の閉状態を確保する鍵手段をさらに備えることを特徴とする。
【００２２】
本発明にあっては開閉蓋を鍵手段により閉状態にロックするので、長期間使用しない場合でも、異物が混入する事態を防止することが可能となる。
【００２３】
本発明に係るディスポーザは、前記投入口を封鎖する封鎖部材をさらに備えることを特徴とする。
【００２４】
本発明にあっては、投入口に挿入される封鎖部材を設けたので、長期間使用しない場合でも、封鎖部材により投入口への異物混入を防ぐことが可能となる。
【００２５】
本発明に係るディスポーザは、前記封鎖部材は、前記投入口に挿入される挿入部と、該挿入部に連結される把持部とを備え、該把持部の高さは、少なくとも前記投入口から閉状態にある前記開閉蓋頂部までの高さから前記挿入部の高さを減じた値よりも大きいことを特徴とする。
【００２６】
本発明にあっては、封鎖部材は投入口に挿入される挿入部と、該挿入部に連結される把持部とを備える。そして、把持部の高さは、少なくとも前記投入口から閉状態にある開閉蓋頂部までの高さから、前記挿入部の高さを減じた値よりも大きく設定する。すなわち、把持部の高さが低い場合、開閉蓋を閉じ、さらに鍵手段によりロックしている場合でも、悪意のある第３者は封鎖部材を引き抜くことができ、ひいては異物が混入される可能性がある。しかし、本発明の如く把持部の高さを所定長以上とすることにより、第３者が封鎖部材の引き抜きを試みたとしても、引き抜きの段階で封鎖部材把持部の頂部が、閉状態にある開閉蓋に接触することになり、封鎖部材を引き抜くことは不可能となる。これにより、本発明に係るディスポーザを長期間使用しない場合でも、異物の混入を阻止することが可能となる。
【発明の効果】
【００２７】
本発明に係るディスポーザにおいては、投入口上方を覆うべく開閉自在に架設した開閉蓋を設けたので、生ごみ以外の異物が、誤って投入口上方から落下した場合でも、開閉蓋の存在により、異物の投入口への落下を防ぐことができ、破砕部の損傷を防止することが可能となる。また、開閉蓋を閉じている場合でも、依然としてホッパーは露出していることから、ディスポーザが運転中でも引き続き、開閉蓋下部の側面方向へ向けて生ごみを投入することが可能となる。
【００２８】
また、本発明に係るディスポーザにおいては、保護部材を開閉蓋に垂設したので、開閉蓋下の生ごみの通り道は、外部と投入口とが保護部材により、分けられることになり、異物が落下した場合でも、保護部材の存在により異物が投入口へ入り込むことを未然に防止することが可能となる。また、保護部材を透明とした場合は外部から開閉蓋の下部及び投入口付近を容易に視認することが可能となる。
【００２９】
また、本発明に係るディスポーザにおいては、開状態を保持する保持手段を設けたので、ホッパー及び回転歯等の清掃・メインテナンスを容易に行うことができる。また、検知センサにより、開閉蓋の開閉状態を把握できるので、清掃中で開状態にある場合に、破砕部を動作させるという危険な状態を未然に回避することが可能となる。
【００３０】
また、本発明に係るディスポーザにおいては、開閉蓋を鍵手段により閉状態にロックするので、長期間使用しない場合の第３者による悪用を防止することが可能となる。さらに、投入口に挿入される封鎖部材を設けたので、長期間使用しない場合は、封鎖部材により投入口を完全に塞げ、異物の混入を防ぐことが可能となる。
【００３１】
また、本発明に係るディスポーザにおいては、把持部の高さを所定長以上とすることにより、第３者が封鎖部材の引き抜きを試みたとしても、閉状態にある開閉蓋頂部に接触することになり、封鎖部材を引き抜くことは不可能となるから、本発明に係るディスポーザを長期間使用しない場合でも、鍵手段と相まって、封鎖部材の盗難を防止することが可能となり、また異物を混入される事態を回避できる等、本発明は優れた効果を奏する。
【発明を実施するための最良の形態】
【００３２】
以下本発明をその実施の形態を示す図面に基づいて詳述する。図１は、ディスポーザの概要を示す模式的斜視図、図２はディスポーザを上部から見た平面図、図３は一点鎖線III-IIIによる断面図、図４は２点鎖線IV-IVによる模式的断面図である。図５はディスポーザの制御部のハードウェア構成を示すブロック図である。
【００３３】
図１に示すように、ディスポーザ１は直方体状の筐体を有し、上部に生ごみを投入するホッパー２、ホッパー２の一部を開閉自在に覆う開閉蓋６、生ごみの移動を容易にすべく水を供給する水供給部７及びディスポーザ１を駆動する電源を供給する分電盤９を備える。また、ディスポーザ１の稼働状態及び開閉蓋６の開閉状態を示す表示パネル８及び操作パネル８１が筐体側面に配置されている。
【００３４】
ディスポーザ１を稼働させる場合、分電盤９の電源をＯＮとし、開閉蓋６を閉状態とする。次いで、水供給部７から、水を供給しつつ生ごみをホッパー２に流し込む。なお、本実施の形態においてはディスポーザ１の筐体の形状を直方体状としたが、この形状に限るものではなく、円柱状のものであっても良い。
【００３５】
図２の平面図及び図３の断面図に示されるように、ホッパー２は平面視において正方形であり、その断面は生ごみを投入口４へ導くべく、投入口４の方向へ向けて傾斜する傾斜部２１により構成される。ホッパー２は例えばステンレススチール等が用いられ、生ごみが円滑に投入口４へ流れるよう、傾斜部２１の傾斜角度が決定される。傾斜部２１はホッパー２の最下面において、円形断面を有する投入口４に接続されている。投入口４を経た生ごみは破砕部３へ水と共に落下する。破砕部３は、複数の歯を有する回転歯３１、回転歯３１を回転させるモータＭ、並びに、水及び破砕後の生ごみを外部へ導く排出口５から構成される。回転歯３１はモータＭにより高速回転し、落下した生ごみを細かく破砕する。水及び破砕された生ごみは遠心力により回転歯３１の外周へ飛散し、最終的には排出口５を経てディスポーザ１外部へ排出される。
【００３６】
開閉蓋６は例えばステンレススチールからなり、平面視において矩形状をなし側面視においてコの字型の形状をなし、両短辺においてホッパー２の周縁に接触するよう架設されている。開閉蓋６の短辺側の一端にはハンドル６１が取り付けられており、他端には開閉蓋６の回動中心となるヒンジ部６２が設けられている。開閉蓋６を開ける場合は、ハンドル６１を把持し、ヒンジ部６２を中心とした円運動により開閉蓋６を持ち上げる。
【００３７】
ホッパー２周縁の開閉蓋６一端と接触する部分には、開閉蓋６の開閉状態を検知するセンサＳが埋設されている。なお、センサＳ及びヒンジ部６２の詳細は後述する。ホッパー２の上部の開口は、長さＬとする正方形であり、矩形状をなす開閉蓋６の長辺はホッパー２の一辺と同じ長さＬである。短辺は投入口４の口径Ａよりも長いＡ＋αである。このように開閉蓋６は、平面視においてホッパー２上方の開口の一部であるが、投入口４の上方を完全に覆うべく構成される。なお、開閉蓋６の長辺及び短辺の長さは生ごみの処理量、及びディスポーザ１のサイズ等によって決定される。また、本実施の形態においては、ホッパー２の平面視を正方形としたが、丸形でも良い。また開閉蓋６の形状を矩形状としたが、この形状に限定するものではなく、開閉蓋６が投入口４の上方を完全に覆うものであればどのような形状であってもよい。
【００３８】
図４に示すように、開閉蓋６の長辺側面にはゴム等からなる保護部材としての保護シート１０、１０が、ホッパー２の傾斜部２１に向けて垂設される。保護シート１０は長辺が開閉蓋６の長辺と略同一であり、短辺がホッパー２の深さに略等しい矩形状のものを用意し、長辺の一部を、ホッパー２の傾斜部２１の傾斜角に沿わせてカッター等によりカットする。カットされていない保護シート１０の長辺は開閉蓋６の長辺側面に接着剤により固着される。このようにして制作された保護シート１０は２枚用意され、開閉蓋６の長辺側面にそれぞれに垂設される。保護シート１０は異物が誤ってホッパー２に落下した場合でも、安易に投入口４へ落下しない程度の柔軟性をもつ。なお、好ましくは開閉蓋６の下部及び投入口４周辺が視認できるよう、保護シートは透明のものが良い。また、保護シート１０は、予め傾斜部２１に沿う形状で成形するようにしてもよい。
【００３９】
図５はディスポーザ１のハードウェア構成を示すブロック図である。ディスポーザ１の筐体内部には各部の制御を司るＣＰＵ(Central Processing Unit)８２，ＲＯＭ(Read Only Memory )８３，検知センサＳ、操作パネル８１，表示パネル８及びモータＭを備える。ＣＰＵ８２はＲＯＭ８３に記憶された制御プログラムに従い、モータＭの制御及び検知センサＳからの信号を処理する。検知センサＳは開閉蓋６の開閉状態を検知し、その状態に応じた信号をＣＰＵ８２に出力する。操作パネル８１は図１に示すように「運転」、「停止」及び「非常停止」ボタンを備え、各ボタンからの入力信号はＣＰＵ８２に出力される。処理者はディスポーザ１を稼働させる場合、「運転」ボタンを押し、稼働を終了する場合、「停止」ボタンを押す。また事故、生ごみのつまり等により、緊急にディスポーザ１を停止させる場合は、「非常停止」ボタンを押す。
【００４０】
表示パネル８は図１に示すように「電源」ランプ、「運転」ランプ及び「スタンバイ」ランプを備える。分電盤９からディスポーザ１へ電力が供給されている場合、「電源」ランプが点灯する。「運転」ランプはディスポーザ１が稼働中である場合に点灯し、「スタンバイ」ランプは開閉蓋６が閉状態にある場合に点灯する。操作パネル８１の「運転」ボタンの押信号が入力された場合、ＣＰＵ８２は検知センサＳから出力される信号が、閉状態であるか否かを判断する。閉状態である場合、すなわち開閉蓋６が閉じている場合は、ＣＰＵ８２はモータＭを駆動し、生ごみの破砕を開始する。一方、ＣＰＵ８２が、検知センサＳから出力される信号が閉状態でないと判断した場合、すなわち開閉蓋６が閉じられていない場合、モータＭの駆動を行わない。
【００４１】
図６は検知センサＳの構成を示す模式図である。検知センサＳはホッパー２周縁部一辺に埋設されており、上下方向に移動することが可能な突起部Ｓ１が検知センサＳに連結されている。突起部Ｓ１下側と検知センサＳの上側との間には突起部Ｓ１を押し上げる図示しないバネが挿入されている。開閉蓋６が開状態の場合、突起部Ｓ１はバネの押し上げ作用によりホッパー２の周縁部から突出している。開閉蓋６が閉じられた場合、開閉蓋６の短辺が突起部Ｓ１を含むホッパー４の周縁部に当接し、開閉蓋６の重みにより突起部Ｓ１が押し下げられることになる。検知センサＳは突起部Ｓ１による押圧を検知し、開閉蓋６が閉じられたと判断する。なお、検知センサＳの位置及び構成はこれに限るものではなく、例えばヒンジ部６２の下部に設けてもよい。
【００４２】
図７はヒンジ部６２の構造を示す模式的斜視図、図８はヒンジ部６２の構造及び開閉蓋６の開閉遷移を示す模式的側面図である。ヒンジ部６２は、ホッパー２の周縁にねじ等により固定されたプレート６３，スライド板６２Ａ，６２Ａ，６２Ａ、枢軸６２Ｂ、保持手段としてのロックシャフト６２Ｃ、凹部６２Ｅ及びガイドホール６２Ｄにより構成されている。
【００４３】
プレート６３は、矩形状の平板であり、例えばステンレススチール等からなり、その長辺がホッパー２の周縁と整合するようねじ等により螺合されている。プレート６３の短辺部位両端及び略中央部には同種の素材からなるスライド板６２Ａ、６２Ａ、６２Ａが上方に向けて垂設されている。スライド板６２Ａは側面視において矩形状をなし、角の一部に凹部６２Ｅが形成されている。
【００４４】
枢軸６２Ｂはプレート６３の両端に垂設されるスライド板６２Ａと、開閉蓋６とを貫通し、開閉蓋６が枢軸６２Ｂを中心として回動できるよう、スライド板６２Ａ及び開閉蓋６を軸支している。枢軸６２Ｂに隣接して開閉蓋６側面には、開閉蓋６上面に対して約４５度の角度をもつガイドホール６２Ｄが形成されている。開閉蓋６の下部短辺方向に沿って、ロックシャフト６２Ｃが、両端のスライド板６２Ａ、６２Ａに形成されたガイドホール６２Ｄ、６２Ｄに支持される形で架設されている。ロックシャフト６２Ｃは、例えばステンレススチール等からなり、円柱状をなし、両先端はガイドホール６２Ｄ、６２Ｄから抜け落ちないよう、ガイドホール６２Ｄの開口よりも口径が大きくなるよう構成されている。
【００４５】
図８を用いて、開閉蓋６の開閉状態の遷移を説明する。図８（ａ）は閉状態を示す模式的斜視図、図８（ｂ）は閉状態から開状態への遷移状態を示す模式的斜視図、図８（ｃ）は開状態を示す模式的斜視図である。開閉蓋６が閉状態にある場合、ロックシャフト６２Ｃはスライド板６２Ａに支えられ、ガイドホール６２Ｄの上部に位置する。処理者がハンドル６１を把持して、開閉蓋６を持ち上げた場合、開閉蓋６は枢軸６２Ｂを中心とした回動運動を行う。ロックシャフト６２Ｃは重力によりホッパー２方向へガイドホール６２Ｄ内で、スライド板６２Ａに当接する位置まで落下する。開状態へ移行すると、ロックシャフト６２Ｃはスライド板６２Ａの傾斜に従い凹部６２Ｅへ落ち込み、ガイドホール６２Ｄの最下点に位置する。
【００４６】
開閉蓋６に予期せぬ力がかかった場合でも、ロックシャフト６２Ｃのガイドホール６２Ｄ内での上方向への移動が、スライド板６２Ａの凹部６２Ｅに阻害され、開閉蓋６の回転運動も阻害される。処理者が開閉板６を閉じる場合は、図７に示すように凹部６２Ｅにあるロックシャフト６２Ｃをガイドホール６２Ｄの最上部に当接するまで、上方向へ持ち上げながら、開閉蓋６を閉じる。これにより、ロックシャフト６２Ｃはスライド板６２Ａの凹部６２Ｅをこえることができる。
【００４７】
図９は鍵手段の構成を示す模式図である。図９（ａ）はディスポーザ１の平面図、図９（ｂ）は図９（ａ）のＶ方向からの模式的側面図である。開閉蓋６のハンドル６１下部及び開閉蓋６が閉状態でホッパー２の周縁に当接する部位には、鍵取り付け部Ｋ１が固定されており、鍵手段としての鍵Ｋが、鍵取り付け部Ｋ１に取り付けられるようになっている。ディスポーザ１を長期間使用しない場合は、鍵Ｋを用いて、開閉蓋６の閉状態を確保する。
【００４８】
図１０は封鎖部材の構成を示す模式的側面図である。図１０は図９（ａ）のＸ−Ｘ線による模式的側面図である。封鎖部材としてのキャップＣは挿入部Ｃ１及び把持部Ｃ２により構成される。キャップＣは例えばゴムからなり、円柱状である。挿入部Ｃ１の口径は投入口４の口径と略同一であり、ディスポーザ１を長期間使用しない場合に、処理者が投入口４へ、キャップＣの挿入部Ｃ１を、把持部Ｃ２を把持しながら挿入する。
【００４９】
把持部Ｃ２は円柱状をなし、挿入部Ｃ１の挿入が一定位置で止まるよう、その口径は投入口４よりも大きく構成されている。把持部Ｃ２の側面視における高さは、挿入部Ｃ１の側面視における高さＹよりも短くてもよいが、キャップＣの盗難防止のため以下の長さとするのが好ましい。
【００５０】
投入口４の上面、すなわちホッパー２の最深部から、閉状態にある開閉蓋６の頂部６Ｔまでの高さをＸとした場合、把持部Ｃ２の高さはＸ−Ｙ以上、Ｘ以下が好ましい。鍵Ｋにより開閉蓋６が閉じられている場合に、悪意のある第３者がキャップＣを外そうと試みても、把持部Ｃ２の高さは少なくとも、挿入部Ｃ１の高さを減じた値より大きいので、キャップＣを、把持部Ｃ２を把持して持ち上げる段階で、キャップＣ頭部が開閉蓋６の頂部６Ｔに当接し、これ以上引き上げることができない。長期間ディスポーザ１を使用しない場合は、まずキャップＣの挿入部Ｃ１を投入口４へ挿入し、開閉蓋６を閉じると共に、鍵Ｋを鍵取付部Ｋ１に取り付け施錠する。
【図面の簡単な説明】
【００５１】
【図１】ディスポーザの概要を示す模式的斜視図である。
【図２】ディスポーザを上部から見た平面図である。
【図３】一点鎖線III-IIIによる断面図である。
【図４】２点鎖線IV-IVによる模式的断面図である。
【図５】ディスポーザの制御部のハードウェア構成を示すブロック図である。
【図６】検知センサの構成を示す模式図である。
【図７】ヒンジ部の構造を示す模式的斜視図である。
【図８】ヒンジ部の構造及び開閉蓋の開閉遷移を示す模式的側面図である。
【図９】鍵手段の構成を示す模式図である。
【図１０】封鎖部材の構成を示す模式的側面図である。
【符号の説明】
【００５２】
１      ディスポーザ
２      ホッパー
３      破砕部
４      投入口
６      開閉蓋
１０    保護部材（保護シート）
２１    傾斜部
６２Ｃ  保持手段（ロックシャフト）
Ｃ      封鎖部材（キャップ）
Ｋ      鍵手段（鍵）
Ｓ      検知センサ
【図１】
2007069082.tif 000003
【図２】
2007069082.tif 000004
【図３】
2007069082.tif 000005
【図４】
2007069082.tif 000006
【図５】
2007069082.tif 000007
【図６】
2007069082.tif 000008
【図７】
2007069082.tif 000009
【図８】
2007069082.tif 000010
【図９】
2007069082.tif 000011
【図１０】
2007069082.tif 000012